(57)【要約】  無線エンドポイントは地域無線ネットワーク(WRAN)エンドポイントであり、例えば基地局(BS)や顧客装置(CPE)である。WRANエンドポイントは、チャネル内に2048個のサブキャリアを含む直交周波数分割多重(OFDM)信号を送信できる。2048個のサブキャリアは16個のサブキャリア群又はサブチャネルに分割され、サブキャリア群各々は128個のサブキャリアを含む。しかしながらそのチャネルの中で既存の狭帯域信号を検知した場合、WRANエンドポイントはある方法で送信するOFDM信号を作成し、その方法では、既存の狭帯域信号と干渉するおそれのある１つ以上のサブキャリア群の利用をWRANエンドポイントが除外する。
2009515436.tif 000002
【特許請求の範囲】
【請求項１】
無線エンドポイントで使用する方法であって、
或るチャネルの中で少なくとも１つの除外される周波数領域を特定するステップと、
多数のサブキャリアを含む直交周波数分割多重(OFDM)方式の信号を前記チャネルで送信するステップと、
を有し、前記送信するステップは、前記少なくとも１つの除外される周波数領域に該当するサブキャリアを、送信から除外するステップを含むようにした方法。
【請求項２】
前記特定するステップが、
干渉する信号を検出するステップと、
検出された干渉する信号の中で、少なくとも１つの除外される周波数領域を特定するステップと、
を有する請求項１記載の方法。
【請求項３】
前記少なくとも１つの除外される周波数領域が、検出された干渉する信号の周波数スペクトルの少なくとも一部に対応する請求項２記載の方法。
【請求項４】
前記多数のサブキャリアが多数のサブチャネルに分割され、前記送信から除外するステップは、少なくとも１つのサブチャネルを除外する請求項１記載の方法。
【請求項５】
前記特定するステップが、
別の無線エンドポイントからメッセージを受信するステップと、
受信メッセージ中の情報から、前記少なくとも１つの除外される周波数領域を指定するステップと、
を有する請求項１記載の方法。
【請求項６】
前記受信メッセージが、周波数利用マップを有する請求項５記載の方法。
【請求項７】
前記無線エンドポイントのチャネルの使用から除外される周波数領域を、前記周波数利用マップが指定している請求項６記載の方法。
【請求項８】
前記無線エンドポイントに利用可能な周波数領域を、前記周波数利用マップが指定している請求項６記載の方法。
【請求項９】
前記無線エンドポイントが、地域無線ネットワーク(WRAN)の一部である請求項１記載の方法。
【請求項１０】
無線エンドポイントで使用する装置であって、
多数のサブキャリアを含む直交周波数分割多重(OFDM)方式の信号を或るチャネルで送信するための変調器と、
少なくとも１つの除外される周波数領域に該当するサブキャリアを、送信から除外するように前記変調器を制御するプロセッサと、
を有する装置。
【請求項１１】
あるチャネルにチューニングするチューナと、
前記チャネル内に存在する干渉信号を検出する信号検出器と、
を更に有し、前記検出された干渉信号は、少なくとも１つの除外される周波数領域と関連付けられる請求項１０記載の装置。
【請求項１２】
前記少なくとも１つの除外される周波数領域が、検出された干渉信号の周波数スペクトルの少なくとも一部に対応する請求項１１記載の装置。
【請求項１３】
前記多数のサブキャリアが多数のサブチャネルに分割され、前記プロセッサは、少なくとも１つのサブチャネルを送信から除外するように前記変調器を制御する請求項１０記載の装置。
【請求項１４】
前記プロセッサが、別の無線エンドポイントから受信したメッセージに応答し、該受信したメッセージは、前記少なくとも１つの除外される周波数領域を指定している請求項１０記載の装置。
【請求項１５】
前記受信したメッセージが、周波数利用マップを有する請求項１４記載の装置。
【請求項１６】
前記無線エンドポイントのチャネルの使用から除外される周波数領域を、前記周波数利用マップが指定している請求項１５記載の装置。
【請求項１７】
前記無線エンドポイントに利用可能な周波数領域を、前記周波数利用マップが指定している請求項１５記載の装置。
【請求項１８】
前記無線エンドポイントが、地域無線ネットワーク(WRAN)の一部である請求項１０記載の装置。
【発明の詳細な説明】
【技術分野】
【０００１】
本発明は一般に通信システムに関連し、地上ブロードキャスト、セルラ、ワイヤレスフィデリティ(Wi-Fi)、衛星等のような無線システムに特に関連する。
【背景技術】
【０００２】
地域無線ネットワーク(WRAN)システムがIEEE802.22標準化グループで検討されている。WRANシステムはTVスペクトルの中で不使用のテレビジョン(TV)放送チャネルを干渉しない方式で利用することを意図しており、都市や副都市地域をまかなっているブロードバンドアクセス技術によるものと同程度のパフォーマンスレベルと共に、田舎の遠隔地域の低人口密度のマーケットに対処することを主目的としている。更に、WRANシステムは、スペクトルが利用可能な高人口密度の地域をまかなうように適合されてもよい。
【発明の開示】
【発明が解決しようとする課題】
【０００３】
上述したように、WRANシステムの目的の1つは、TV放送のような既存の(サービス義務のある)信号と干渉しないことであり、その信号は「ワイドバンド」信号であるかもしれない(即ち、その信号は全チャネルを使用するかもしれない)。
【課題を解決するための手段】
【０００４】
しかしながら、TV放送に比較して「ナローバンド」(狭帯域)のチャネルの既存信号もあるかもしれない。この場合、エンドポイントは、動的な周波数選択手段を利用して、無線エンドポイントが、既存の狭帯域信号と干渉せずに、依然としてそのチャネルを使用できるようにする。特に、本発明原理によれば、無線エンドポイントは、チャネルの中で少なくとも１つの除外されている周波数領域を確認し、多数のサブキャリアを含んでいる直交周波数分割(OFDM)ベースの信号をそのチャネルで送信するステップを有する。この送信するステップは、少なくとも１つの除外される周波数領域に該当するサブキャリアを送信から除外することを含む。  
【発明を実施するための最良の形態】
【０００５】
本発明の実施例では、無線エンドポイントは地域無線ネットワーク(WRAN)エンドポイントであり、例えば基地局(BS)や顧客装置(CPE:  Customer  Premise  Equipment)等である。WRANエンドポイントは、チャネル内に2048個のサブキャリアを含むOFDM信号を送信できる。2048個のサブキャリアは16個のサブキャリア群又はサブチャネルに分割され、サブキャリア群各々は128個のサブキャリアを含む。しかしながらそのチャネルの中で既存の狭帯域信号を検知した場合、WRANエンドポイントはある方法で送信するようにOFDM信号を作成し、その方法では、既存の狭帯域信号と干渉するおそれのある１つ以上のサブキャリア群の利用をWRANエンドポイントが除外する。
【０００６】
本発明の別の実施例では、無線エンドポイントは地域無線ネットワーク(WRAN)エンドポイントであり、例えば基地局(BS)や顧客装置(CPE)等である。WRANエンドポイントは、チャネル内に2048個のサブキャリアを含むOFDM信号を送信できる。2048個のサブキャリアは16個のサブキャリア群又はサブチャネルに分割され、サブキャリア群各々は128個のサブキャリアを含む。しかしながらそのチャネルの中で既存の狭帯域信号を指定している周波数利用マップを受信した場合、WRANエンドポイントはある方法で送信するようにOFDM信号を作成し、その方法では、既存の狭帯域信号と干渉するおそれのある１つ以上のサブキャリア群の利用をWRANエンドポイントが除外する。
【０００７】
上記により及び詳細な説明を理解することで明らかになるように、本発明の原理に該当する他の実施例や特徴の可能性もある。
【実施例１】
【０００８】
発明概念の他に図に示されている要素は良く知られており、従って詳細には説明されない。また、テレビジョン放送、受信機、ネットワーキング及びビデオ符号化に精通していることを仮定しており、これらも詳細には述べられない。例えば、発明概念とは別に、ATSC(Advanced  Television  System  Committee)のようなTV標準仕様や、IEEE802.16，802.11h等のようなネットワーキングに関する現在の及び提案中の推奨事項を熟知していることも仮定されている。ATSCブロードキャスト信号に関する更なる情報は、次のATSC標準仕様に見ることができる：Digital  Television  Standard(A/53),  Revision  C,  including  Amendment  No.1  and  Corrigendum  No.1,  Doc.A/53C;  and  Recommended  Practice:  Guide  to  the  Use  of  the  ATSC  Digital  Television  Standard(A/54)。同様に、発明概念とは別に、８レベル残留側波帯信号(8-VSB)、直交振幅変調(QAM)、直交周波数分割多重化(OFDM)又は直交周波数分割多重アクセス(OFDMA)等のような伝送概念、及び、無線周波数(RF)フロントエンドのような受信機要素、又は低雑音ブロック、チューナ、復調器、相関器、リークインテグレータ及び二乗器のような受信部等に精通していることも仮定されている。同様に、発明概念とは別に、伝送ビットストリームを生成するフォーマット及び符号化装置(例えば、動画エキスパートグループ(MPEG)-2システム標準仕様(ISO/IEC  13818-1)自体は周知であり、詳細には説明されない。発明概念は通常のプログラミング技術を用いて実現されもよく、従ってプログラミング技術自体も詳細には説明されないことに留意を要する。そして、図中同様な番号は同様な要素を表す。
【０００９】
図１にはアメリカ合衆国のTVスペクトルが示されており、超短波(VHF)及び超極短波(UHF)の帯域におけるTVチャネルのリストが示されている。各TVチャネルに関し、割当周波数帯域に関連する下限が示されている。例えば、TVチャネル２は54MHz(54×100万ヘルツ)から始まり、TVチャネル37は608MHzから始まり、TVチャネル68は794MHzから始まる、等々。当該技術分野で知られているように、各TVチャネル又はバンドは、6MHzの帯域を占める。そういうわけでTVチャネル２は54MHzから60MHzまでの周波数スペクトル(又は範囲)をカバーし、TVチャネル37は608MHzから614MHzまでの帯域をカバーし、TVチャネル68は794MHzから800MHzまでの帯域をカバーする、等々。本願では、TV放送信号は「ワイドバンド(広帯域)」信号である。先に述べたように、WRANシステムは、TVスペクトルの中で未使用のテレビジョン(TV)放送チャネルを利用する。この点に関し、WRANシステムは「チャネル検出」を実行し、そのWRAN地域の中で、これらTVチャネルの内のどれが実際に活躍しているか(既存信号でサポート義務があるか)を確認し、WRANシステムで実際に利用可能なTVスペクトル部分を特定する。
【００１０】
しかしながら、たとえWRANエンドポイントがワイドバンド信号を検出しなかったとしても、「ナローバンド(狭帯域)」の既存信号がチャネルの中にあるかもしれない(狭帯域信号は、例えばチャネルの中で6MHz未満の帯域を占める。)。既存のナローバンド信号は、WRANエンドポイントがチャネルを送信に使用し始めた後に出現することさえあるかもしれない。この点に関し、無線エンドポイントはダイナミック周波数選択(DFS:  Dynamic  Frequency  Selection)手段を利用し、既存のナローバンド信号との干渉を避けながら、無線エンドポイントがそのチャネルを依然として利用できるようにする。特に、本発明原理によれば、無線エンドポイントは、あるチャネルの中で少なくとも１つの除外される周波数領域を特定し、直交周波数分割多重(OFDM)方式の信号をそのチャネルで送信し、そのOFDM方式の信号は多数のサブキャリアを含んでいる；送信の際、少なくとも１つの除外される周波数領域に該当するサブキャリアを、送信から除外する。
【００１１】
図２には、本発明原理を使用する地域無線ネットワーク(WRAN)システム200が示されている。WRANシステム200は、ある地理的領域(WRANエリア)(図２では図示されてない)をまかなう。一般に、WRANシステムは、１つ以上の顧客装置(CPE)250と通信する少なくとも１つの基地局(BS)205を含む。顧客装置は固定局でも移動局でもよい。CPE250はプロセッサベースのシステムであり、１つ以上のプロセッサと関連するメモリを含み、図２で波線枠形式で示されている(プロセッサ290及びメモリ295)。これに関し、コンピュータプログラム又はソフトウエアは、プロセッサ290による実行に備えてメモリ295に格納される。プロセッサは１つ以上の格納済みプログラムの制御プロセッサを表し、これらが送信機能に特化されていることは必須でなく、例えばプロセッサ290はCPE250の他の機能を制御してもよい。メモリ295は何らかの記憶装置を表し、例えば、ランダムアクセスメモリ(RAM)、リードオンリメモリ(ROM)等を表し、CPE250にとって内部に又は外部にあり、必要に応じてそれは揮発性でも不揮発性でもよい。BS205及びCPE250間の物理レイヤ(PHY)の通信は、アンテナ210,255を介して、OFDMベースで(例えば、トランシーバ285を介してOFDMA方式で)行われ、図中矢印211で示されている。図３の表２には、6MHz,7MHz及び8MHzの帯域について、OFDM信号パラメータの例が示されている。例えば、6MHzの帯域に関し、サブキャリア数は2048であり、サンプリング周波数は(48/7)MHzであり、パラメータGに関して1/4,1/8,1/16及び1/32の値がサポートされており、Gはサイクリックプレフィックス(CP)と「有効(useful)」時間との比率である。本願の説明では、図４に示されるように2048個のサブキャリアが16個のサブチャネルに更に分割される。例えば、サブチャネル１はサブキャリア１乃至128を含み、サブチャネル２はサブキャリア129乃至256を含み、等々がサブチャネル16まであり、サブチャネル16はサブキャリア1921乃至2048を含む。簡明化のため図４に示されているように、各サブチャネル内のサブキャリアは互いに隣接した周波数であることを仮定しているが、本発明概念はそのような場合に限定されず、サブキャリアの全部又は一部が周波数軸上で隣接していないようにサブチャネルが決められてもよい。
【００１２】
WRANネットワークに入る際、CPE250は先ずBS205との「関連付け(associate)」を試行する。この試行の際、CPE250は、トランシーバ285を介して、CPE250の能力(性能)に関する情報を制御チャネル(図示せず)でBS205に送信する。報告された能力(性能)は、例えば、最小及び最大の送信電力、送信及び受信でサポートされるチャネルリスト等を含む。この場合に、CPE250は上記の「チャネル検出(channel  sensing)」を実行し、WRANエリアの中でどのTVチャネルがアクティブでないかを判定する。その結果のWRAN通信に利用可能なチャネルリストが、BS205に与えられる。基地局は上記の報告された情報を利用して、CPE250がBS205に付随することを許可するか否かを決める。
【００１３】
図５には、BS205及びCPE250間で情報を通信するのに使用するフレーム100の例が示されている。発明概念とは別に、フレーム100はあるOFDMAフレームと同様であり、そのOFDMAフレームは、IEEE802.16-2004,  “IEEE  Standard  for  Local  and  metropolitan  area  networks,  Part  16:  Air  Interface  for  Fixed  Broadband  Wireless  Access  System”に述べられているようなものである。フレーム100は時間分割二重化(TDD)システムを表し、アップリンク(UL)及びダウンリンク(DL)の伝送に同じ周波数が使用される。ここで使用されているように、アップリンクはCPE250からBS205に至る通信に関連し、ダウンリンクはBS205からCPE250に至る通信に関連する。各フレームは２つのサブフレーム(DLサブフレーム101及びULサブフレーム102)を有する。各フレームにおいて、BS205が切り替わること（即ち、送信から受信へ、及びその逆の切り替わり）を可能にする時間間隔が含められている。これらは図５ではRTG(受信／送信遷移ギャップ)インターバル及びTTG(送信／受信遷移ギャップ)インターバルとして示されている。各フレームは多数のバースでデータを伝送する。フレーム、DLサブフレーム中のDLバースト数、及びULサブフレーム中のULバースト数に関する情報は、フレーム制御ヘッダ(FCH)77、DLMAP78及びULMAP79で伝送される。フレーム同期及び等化を可能にするプリアンブル76も各フレームは含んでいる。
【００１４】
図６を参照するに、DFS(動的周波数選択)を実行するのに使用される本発明原理によるフローチャート例が示されている。ステップ305では、CPE250が、OFDM信号を作成する際に除外される１つ以上の周波数領域を特定する。次のステップ310では、除外されるよう特定された周波数領域に該当するサブキャリアを利用しないようにすることで、CPE250はOFDM信号を作成する。好ましくは、チャネルの中で既存の信号を検出するために、CPE250は、その検出期間の間そのチャネルで送信することを中断すべきである。この場合に、制御メッセージをフレーム100のDLサブフレームを介してCPE250に送信することで、BS205は中断インターバルのスケジューリングを行ってもよい。スケジューリングされた中断インターバルは、複数のフレームにわたるかもしれないし、或いは１つのULサブフレームにしか関係ないかもしれない。
【００１５】
図７のフローチャートでは、ステップ305で必要とされるような１つ以上の除外される周波数領域を特定する１つの方法例が示されている。ステップ405でCPE250は或るチャネルを選択する。この例では、そのチャネルは、図１の表１に示されるTVチャネルの1つであるように仮定されているが、発明概念はそのような場合に限定されず、他の帯域を有する他のチャネルにも適用可能である。ステップ410では、CPE250は選択したチャネルをスキャンし、既存信号の存否を確認する。既存信号が一切検出されなかった場合、ステップ415において、CPE250は周波数利用マップを作成し、そのマップは指定されたチャネルがWRANシステムに利用可能なことを示す。ここで使用されているように、周波数利用マップは、単に、１つ以上のチャネル及びその一部分を(図２のWRANシステムにとって利用できるか否かを)指定するデータ構造である。しかしながら、既存信号が検出された場合、ステップ420において、検出された既存信号がワイドバンド信号であるか否かをCPE250は判定し、例えば、検出された信号がチャネル帯域の実質的に全部を占めているか否かを判定する。検出された既存信号がワイドバンド信号であった場合、ステップ425において、CPE250は周波数利用マップを作成し、そのマップは、指定されたチャネルがWRANシステムに利用可能でないことを示す。一方、検出された既存信号がワイドバンド信号でなかった場合、即ち検出された信号がナローバンド信号であった場合、ステップ430において、検出されたナローバンド信号の占める1つ以上のサブチャネルをCPE250は特定する。この例では、図４に示されるように、16個のサブチャネルがチャネルを形成している。ステップ435では、CPE250が周波数利用マップを作成し、そのマップは、16個の内指定されたサブチャネルはWRANシステムに利用可能なことを示す。こうして図６のステップ310にて、何らかの指定されたサブチャネル(即ち、関連するサブキャリア群)がOFDM信号を形成する際に使用されずに除外されるようにして、CPE250はOFDM信号を作成する。
【００１６】
図８を参照するに、CPEで使用する受信機505の一部の例が示されている。本発明概念に特に関係のある受信機部分しか図示されていない。受信機505はチューナ510、信号検出器515及びコントローラ525を有する。コントローラは例えばマイクロプロセッサ(プロセッサ290)であり、１つ以上の格納済みプログラムの制御プロセッサを表し、例えばコントローラ525は受信機505の他の機能も制御してよい。更に、受信機505はメモリ(例えば、メモリ295)を含み、例えばランダムアクセスメモリ(RAM)、リードオンリメモリ(ROM)等であり、コントローラ252の一部でもよいし、別々でもよい。簡明化のため、図８ではいくつもの要素(例えば、自動利得制御(AGC)要素、ディジタル領域で処理が行われる場合のアナログディジタル変換器(ADC)、及び附加的なフィルタ等)が示されていない。発明概念とは別に、これらの要素は当業者に容易に理解されるであろう。これに関連して、説明される実施例はアナログ領域で或いはディジタル領域で実現されてよい。一部の処理は必要に応じて複素信号を含んでよいことも当両者に認識されるであろう。
【００１７】
上述のフローチャートに関連して、チューナ510は、双方向信号経路526を介してコントローラ525によりチャネルを様々なに調整し、特定のTVチャネルを選択する。選択されたチャネル各々について、入力信号504が存在するかもしれない。入力信号504は上述の「ATSCディジタルテレビジョン標準仕様」に従うディジタルVBS変調信号のような既存のワイドバンド信号を表すかもしれないし、或いは既存のナローバンド信号を表すかもしれない。選択したチャネルに既存信号が存在していた場合、チューナ510はダウンコンバートされた信号506を信号検出器515に与え、信号検出器はその信号506を処理し、信号506が既存のワイドバンド信号であるか或いは既存のナローバンド信号であるかを確認する。信号検出器515はその結果の情報を信号経路516を介してコントローラ525に与える。
【００１８】
図９のフローチャートでは、ステップ305で必要とされるような、１つ以上の除外される周波数領域を無線エンドポイントが特定する別の方法が示されている。この例では、ステップ480において、CPE250が周波数利用マップをBS205から受け取り、周波数利用マップは、WRANシステムで利用できない何らかのチャネル及び／又はサブチャネルを指定している。例えば、上述の図７のフローチャートを実行することで、BS205はこの周波数利用マップを作成する。そして、図六のステップ310では、指定された如何なるサブチャネルも(即ち、関連するどのサブキャリアも)OFDM信号を作成する際に使用から除外されるように、CPE250はOFDM信号を作成する。
【００１９】
つまり、チャネル検出が既存のナローバンド信号の身元判定も含んでいる場合、無線エンドポイントは、チャネル検出を実行するように他の無線エンドポイントから指示されてもよい。これは、図10のメッセージフロー図及び図11のフローチャートで示されている。BS205はメジャーメントリクエスト601をCPE250へ上述のDLサブフレーム101を介して送信する。メジャーメントリクエストは、アイドル又は通常の動作の際に送信されてもよく、１つ以上のチャネルに関連してもよい。メジャーメントリクエストを受けると、CPE250は、図11のステップ305において、除外される周波数領域を特定し、そして例えば図１の表１に示されているTVチャネル各々について図７のフローチャートを実行することで、周波数利用マップを作成する。周波数利用マップが決定されると、図11のステップ490において、CPE250は結果のメジャーメントレポート602(何らかの指定された既存のナローバンド信号を示す周波数利用マップを含む)をBS205へ上述のULサブフレーム102を介して送信する。CPEはメジャーメントレポートを基地局に自動的に送信してもよいことに留意すべきである。そして基地局はCPEからの自律的なメジャーメントレポートを又はメジャーメントリクエストを、例えばメジャーメントリクエストに関連する所定の情報要素をDLサブフレームで送信することで、イネーブルに又はディセーブルにしてもよい。これらの所定の情報要素は、例えば、０又は１に設定された「レポートビット」及び「リクエストビット」と共に１に設定された「イネーブルビット」を含む。一例として、全てのメジャーメントリクエスト及びレポートは、デフォルトでイネーブルにされていてもよい。メジャーメントレポートメッセージは、既存信号の電力、中心周波数及び帯域等のような情報要素を含む。更に、メジャーメントレポートメッセージは、既存信号電力のヒストグラムのような情報を含んでもよい。図12には、周波数利用マップに使用されるいくつかの情報要素例が示されている。周波数利用マップ605は３つの情報要素(IE)を含み、それらは：既存信号電力IE606、中心周波数IE607及び帯域幅IE608である。帯域、中心周波数及び電力等の既存のナローバンド信号の要素は別の無線エンドポイントで特定されてそこから送信されてもよく、その情報を利用して、除外する1つ以上のサブキャリア(又は、サブチャネル)を特定し、そのチャネルでのOFDM伝送が既存のナローバンド信号と干渉しないようにする。周波数利用マップ又はメッセージの他の形態が、本発明原理により利用可能なことに留意すべきである。例えば、 (或るチャネルについてOFDM信号を作成するのに使用可能な)周波数、サブキャリア又はサブチャネルのみを周波数利用マップは列挙してもよい。逆に、(或るチャネルについてOFDM信号を作成するのに使用できない)周波数、サブキャリア又はサブチャネルのみを周波数利用マップは列挙してもよい。
【００２０】
図13には、トランシーバ285に使用するOFDM変調器515の実施例が示されている。K個のサブキャリア群又はサブチャネル517-1〜517-K(K＞1)を使ってOFDM変調が実行される。上記の例では、図４に示されるようにK=16である。本発明原理によれば、OFDM変調器515は、データ伝送信号を表す信号514を受信し、そのデータ伝送信号を変調し、図２のプロセッサ295等からの信号518により用意された周波数利用マップ情報に従って、選択されたチャネルでのブロードキャストに備える。上述したように、検出されたナローバンド信号と干渉するかもしれないことが示されたサブキャリアを送信(に使用するサブキャリア)から除外することで、OFDM変調器151は、送信するOFDM信号516を作成することになる。
【００２１】
上述したように、ダイナミックな周波数選択法を使用することで、WRANシステムのパフォーマンスが向上し、既存のナローバンド信号が存在する場合でさえ、無線エンドポイントは、選択したチャネルを依然として使用したままでいられるようにする。例えば図８の受信機のようないくつかの図面は図２のCPE250の観点から説明されたが、本発明はそのような場合に限定されず、例えば本発明原理に従うチャネル検出を行うBS205に本発明が適用されてもよいことに留意すべきである。
【００２２】
以上の説明は本発明の原理を単に示すに過ぎず、当業者は様々な代替例を工夫でき、その代替例は、明細書で明示的には示されていないが、本発明の原理を利用し、本発明の精神及び範囲に属するものであることが、理解されるであろう。例えば、個々の機能要素が描かれているが、それらの機能要素は1つ以上の集積回路(IC)で実現されてもよい。同様に、個々の要素として示されているが、要素の全部又は一部が、記憶済みのプログラムにより制御されるプロセッサ(例えば、ディジタル信号プロセッサ)で実現されてもよく、プロセッサは、図６及び図７等に示される1つ以上のステップに対応する関連ソフトウエアを実行する。更に、発明原理はWRANシステムに限定されず、衛星、無線フィデリティ(Wi-Fi)、セルラ等の他のタイプの通信システムにも適用可能である。実際、本発明概念は固定局の受信機にも移動局の受信機にも適用可能である。従って、添付の特許請求の範囲に規定されている本発明の範囲及び精神から逸脱せずに、様々な修正が実施例になされてもよいこと、他の形態が工夫されてもよいことが、理解されるべきである。
【図面の簡単な説明】
【００２３】
【図１】テレビジョン(TV)チャネルをリスト化している表１を示す図である。
【図２】本発明の原理に従うWRANシステム例を示す図である。
【図３】図２のWRANシステムにおけるOFDMA伝送を説明するための図である。
【図４】図２のWRANシステムにおけるOFDMA伝送を説明するための図である。
【図５】図２のWRANシステムにおけるOFDMA伝送を説明するための図である。
【図６】図２のWRANシステムで使用する本発明の原理に従うフローチャート例を示す図である。
【図７】図２のWRANシステムで使用する本発明の原理に従う別のフローチャート例を示す図である。
【図８】図２のWRANシステムで使用する本発明の原理に従う受信機例を示す図である。
【図９】図２のWRANシステムで使用する本発明の原理に従う別のフローチャート例を示す図である。
【図１０】本発明の原理に従うメッセージフローの一例を示す図である。
【図１１】図２のWRANシステムで使用する本発明の原理に従う別のフローチャート例を示す図である。
【図１２】本発明の原理に従う周波数利用マップ例を示す図である。
【図１３】本発明の原理に従うOFDM変調器例を示す図である。
【図１】
2009515436.tif 000003
【図２】
2009515436.tif 000004
【図３】
2009515436.tif 000005
【図４】
2009515436.tif 000006
【図５】
2009515436.tif 000007
【図６】
2009515436.tif 000008
【図７】
2009515436.tif 000009
【図８】
2009515436.tif 000010
【図９】
2009515436.tif 000011
【図１０】
2009515436.tif 000012
【図１１】
2009515436.tif 000013
【図１２】
2009515436.tif 000014
【図１３】
2009515436.tif 000015
【国際調査報告】
2009515436.tif 000016
2009515436.tif 000017
2009515436.tif 000018